(57)【要約】【課題】  本発明者は、日本拳法、逮捕術、空手等の徒手格闘技用の武道用防具に関するもので、詳しくは鉄鋼製の金属棒やプラスチック板材料などの硬質材料で構成された頭部保護用面防具を打撃するための武道用グローブに関するもので、従来の武道用グローブと比べて安全、保護効果が持続、脱着が容易なものを提供することを課題とする。【課題手段】  武道用グローブに使用するクッション部材が、硬質クッション材と軟質クッション材と低嵩密度クッション材の複合構造となっていることを特徴とする。【選択図】  図１
2007068973.tif 000002
【特許請求の範囲】
【請求項１】
日本拳法、逮捕術、空手などの徒手格闘技用の練習及び試合に使用し、かつ打撃の衝撃を吸収するためのクッション部材を有する手を保護するための武道用グローブであって、当該クッション部材が硬質クッション材と軟質クッション材と低嵩密度クッション材の複合構造となっていることを特徴とする武道用グローブ。
【請求項２】
前記、硬質クッション材を拳の打撃面を中心とした部分に設置すると共に、当該硬質クッション材の内側に近接して軟質クッション材を設置し、さらに指先と手首に近い部分に共に低嵩密度クッション材を設置することを特徴とする請求項１に記載の武道用グローブ。
【請求項３】
前記、硬質クッション材の内側に近接して設置する軟質クッション材が、複数の短冊状の軟質クッション材を網状の袋の内部に詰込んだ部材であることを特徴とする請求項２に記載の武道用グローブ。
【請求項４】
前記、低嵩密度クッション材を拳の打撃面を中心とした部分に設置すると共に、当該低嵩密度クッション材の内側に近接して軟質クッション材を設置し、さらに指先と手首に近い部分に共に低嵩密度クッション材を設置することを特徴とする請求項１に記載の武道用グローブ。
【請求項５】
前記、低嵩密度クッション材の内側に近接して設置する軟質クッション材が、複数の短冊状の軟質クッション材を網状の袋の内部に詰込んだ部材であることを特徴とする請求項４に記載の武道用グローブ。
【請求項６】
前記、クッション部材を、手の甲いわゆる手背部分を中心にしたドーム形状部分、あるいは手の平いわゆる手掌部分の１以上の部分に装入したことを特徴とする請求項１乃至５に記載の武道用グローブ。
【請求項７】
前記のクッション部材を構成する硬質クッション材及び軟質クッション材が連続気泡あるいは半連続気泡を有する有機高分子材料で構成された材料であり、かつ低嵩密度クッション材が繊維状高分子材料、短冊状高分子材料、あるいはそれらの複合材料であることを特徴とする請求項１乃至６に記載の武道用グローブ。
【請求項８】
マジックテープ（登録商標）を設置した脱着可能な固定部材の嵌合部をグローブの手首の凹部分に嵌め込んで固定することを特徴とする請求項１乃至７に記載の武道用グローブ。
【発明の詳細な説明】
【技術分野】
【０００１】
本発明は日本拳法、逮捕術、空手等の徒手格闘技用の武道用防具に関するもので、詳しくは鉄鋼、ステンレス、チタンなどの金属製の棒材料やプラスチック板材料などの硬質材料で構成された頭部保護用面防具及び胴部保護用防具を打撃するための武道用グローブに関するものである。
【背景技術】
【０００２】
従来から使用されている日本拳法や逮捕術などの武道で使用されている面防具は、特に安全が必要な頭部を保護するものであり、金属棒で強固に構成された保護構造部材とその内側に木綿布袋に木綿綿を封入した衝撃吸収効果の低いクッション部材を固定したものである（非特許文献１〜４）。特に最近の製品としては、早川繊維工業製（九櫻）Ｒ２０８型日本拳法面、あるいは早川繊維工業（九櫻）Ｒ３００ＭＳＷ型日本拳法面などがある。
【０００３】
この面防具を打撃するために使用される日本拳法や逮捕術用の武道用グローブは、強固な保護構造部材を打撃する際に当該保護構造部材から伝わる集中荷重から手指を保護するために手の関節と手背部分へクッションシートなどを使用した早川繊維工業（九櫻）Ｒ２００Ｋ型拳法グローブなどが開発されている。
【０００４】
ところが、当該グローブは硬質クッションシートが使用中に劣化して弾力性を失い、衝撃吸収のための効果が薄れた状態になることがあった。さらに、硬質クッションシートと手の間には軟質クッションシートが設置されているが、拳頭及び手背部の間に１〜３ｃｍ厚の軟質クッションシートが設置されているのみで攻撃の際に打撃面として使用する手の全体部分を覆うことができていなかった。その結果、非被覆部分が存在するため、手背部、手掌部、手刀の側面部など、手の周囲全体を使って打撃を行う徒手格闘技の競技において、当該非被覆部分で面防具を打撃した際、特に手小指基節骨などに打撃力が集中した際には、クッションの効果が薄れ手指を骨折するという不具合を生じる可能性があった。
【０００５】
その他、関連の徒手格闘用の防具としては、例えば「ボクシング用グローブ」（特許文献１）、「ボクシンググローブ」（特許文献２）、「逮捕術用防具」（特許文献３）などが開示されている。
【０００６】
しかし、これらの武道用防具は、使用者に対する打撃時の衝撃を緩和し、訓練時の擦傷の発生を防止し、且つ軽量で使用者への負担の少ない防具を提供するものであるが、使用者の身体的特徴にあわせて形状を容易に適合させることができないものであり、使用者は拳保護用クッション材入りサポータや手保護用バンテージなどを併用して、身体形状に適合させることによって衝撃吸収を図っていた。さらに、当該武道用防具類は紐などによって締め付け固定することがほとんどであり、身体への装着や脱着に時間がかかるという不具合が生じていた。
【０００７】
【特許文献１】特開昭６０−１６８４７５号
【特許文献２】実用新案登録第３０００４６７号
【特許文献３】実用新案登録第３０６６５９３号
【非特許文献１】「日本拳法」澤山宗海著  毎日新聞社刊
【非特許文献２】「拳法教程」森良之祐著  原書房刊
【非特許文献３】「日本拳法教範Ｉ」石黒邦男著  圭文社刊
【非特許文献４】「絵説日本拳法」桟原富士男著  櫂歌書房刊
【発明の開示】
【発明が解決しようとする課題】
【０００８】
このような状況を鑑み、本発明者は、日本拳法、逮捕術、空手等の徒手格闘技用の武道用防具に関するもので、詳しくは金属製の棒材料やプラスチック板材料などの硬質材料で構成された頭部保護用面防具を打撃する武道用グローブに関するもので、従来の武道用グローブと比べて安全、保護効果が持続、脱着が容易なものを提供することを課題とする。
【課題を解決するための手段】
【０００９】
本発明は、このような課題を解決するために、日本拳法、逮捕術、空手などの徒手格闘技用の練習及び試合に使用し、かつ打撃の衝撃を吸収するためのクッション部材を有する手を保護するための武道用グローブでとして成されたもので、武道用グローブに係る請求項１に記載の発明は、当該クッション部材が、硬質クッション材１１と軟質クッション材１２と低嵩密度クッション材１３の複合構造となっていることを特徴とする。
【００１０】
特に、強固な鋼線で構成される日本拳法用の面防具を直接打撃するような武道用グローブの場合、当該面防具に直接当たる部分が、材料の強度や構造を保持する作用効果のある硬質クッション材１１と縦横に衝撃を吸収する作用効果のある軟質クッション材１２とで構成されていると、面防具の鋼線からの反力による集中荷重を効率的に分散し、かつ反発することが可能になる。
【００１１】
硬質クッション材１１と軟質クッション材１２との多重層構造部材は、その外周囲を皮革或いは布等で覆っていることが好ましい。さらに、安全上の観点から当該多重構造部材の厚さは３ｃｍ以上が望ましい。また、使用状態によってその厚みなどを自在に調節できるように、外周囲の皮革或いは布の人体部分との接触面の一部に開閉機構を有する開口部を設け、そこから追加でクッション材を適宜、装入可能にしてもよい。
【００１２】
さらに、請求項２に記載の発明は、前記、硬質クッション材１１を拳の打撃面を中心とした部分に設置すると共に、当該硬質クッション材の内側に近接して軟質クッション材１２を設置し、さらに指先と手首に近い部分に共に低嵩密度クッション材１３を設置することを特徴とする請求項１に記載の武道用グローブ。
【００１３】
拳の打撃面を中心とした部分に硬質クッション材１１を配置すると、加撃者が面防具の鋼線部分をグローブで打撃した際、隣り合う鋼線に打撃力が分散する。打撃反力は拳の一部分に集中し難くなり拳を負傷することを防止することができる。
【００１４】
また、硬質クッション材１１と軟質クッション材１２との多重層構造部材は、面防具等に直接当たる部分であり、使用回数の増加や衝撃の強さによって武道用グローブ内部の指先、あるいは手首に近い部分に不用意に移動する不具合が生じる可能性があるため、当該低嵩密度クッション材１３を指先部分と手首に近い部分に予め充填することによって、当該多重層構造部材の移動を防止することができる。
【００１５】
さらに、直接打撃に使用される回数の少ない指先部分と手首に近い部分に、当該当該低嵩密度クッション材１３を使用することによって、武道用グローブの軽量化を図ることが可能になる。
【００１６】
さらに、請求項３に記載の発明は、前記、硬質クッション材１１の内側に近接して設置する軟質クッション材１２が、複数の短冊状の軟質クッション材を網状或いは布状の袋の内部に詰込んだ部材であることを特徴とする請求項２に記載の武道用グローブ。
【００１７】
複数の短冊状の軟質クッション材１２を集合体にすることによって、拳の打撃面である間接の凸部分において応力が集中して軟質クッション部材１２の部分的な陥没を避けることが可能となる。
【００１８】
さらに、当該短冊状の軟質クッション部材１２の集合体を網状或いは布状の袋に収納することによって、短冊状部材が不用意にグローブ内に分散することを防止することが可能となる。
【００１９】
さらに、請求項４に記載の発明は、低嵩密度クッション材２１を拳の打撃面を中心とした部分に設置すると共に、当該低嵩密度クッション材２１の内側に近接して軟質クッション材２２を設置し、さらに指先と手首に近い部分に共に低嵩密度クッション材２３を設置することを特徴とする請求項１に記載の武道用グローブ。
【００２０】
本発明の武道用グローブは、請求項２又は３に記載の武道用グローブに代えて、打撃されても衝撃が少なく安全性の高い低衝撃武道用グローブとして、面防具を装着しない空乱撃あるいは、競技用であっても打撃力と耐力の弱い少年及び女子並びに壮年用の武道用グローブとして使用することができる。
【００２１】
低嵩密度クッション材２１を、打撃面を中心とした部分に設置することによって、当該武道用グローブで拳法面防具の鋼線を打撃した場合に、その低嵩密度クッション材２１が好適に衝撃を吸収する。初心者や子女の場合は打撃力が小さいため、面防具を装着している競技者の衝撃が特に緩和される。
【００２２】
さらに、面防具を装着しない空乱撃と呼ばれる拳法の練習時には、軟質クッション材あるいは低嵩密度クッション材２１が打撃面にあるため好適に衝撃が吸収される。そのため、打撃による競技者の負傷が軽減される。
【００２３】
さらに、請求項５に記載の発明は、前記、低嵩密度クッション材２１の内側に近接して設置する軟質クッション材２２が、複数の短冊状の軟質クッション材２２を網状或いは布状の袋の内部に詰込んだ部材であることを特徴とする請求項４に記載の武道用グローブ。
【００２４】
複数の短冊状軟質クッション材２２を集合体にすることによって、拳の打撃面である間接の凸部分において応力を拳全面に分散して軟質クッション部材２２の部分的な陥没を避けることが可能となる。
【００２５】
さらに、当該短冊状の軟質クッション部材２２の集合体を網状或いは布状の袋に収納することによって、短冊状部材が不用意にグローブ内に分散することを防止することが可能となる。これは、請求項２又は３に記載の発明と同様の作用効果である。
【００２６】
さらに、請求項４又は５に記載のグローブの拳の打撃面を中心とした部分に設置する低嵩密度クッション材２１は、それと同等の弾力性を有する軟質クッション材２２で代用しても良い。その場合も同様、打撃面の内側に近接して設置する軟質クッション材２２が、複数の短冊状の軟質クッション材２２の集合体を網状或いは布状の袋に収納したものを設置することが望ましい。
【００２７】
さらに、請求項６に記載の発明は前記、クッション部材を、手の甲いわゆる手背部分を中心にしたドーム形状部分、あるいは手の平いわゆる手掌部分の１以上の部分に装入したことを特徴とする。
【００２８】
この様に、前記、硬質クッション材１１と軟質クッション材１２との多重層構造部材をドーム形状にすることによって、直突きや横打ちなどの広範囲に手の甲部分を打撃に使用する打撃によって手小指基節骨に打撃力が集中して発生する骨折等の不具合を軽減することが可能になる。
【００２９】
さらに、請求項７に記載の発明は、前記のクッション部材を構成する硬質クッション材１１と軟質クッション材１２が連続気泡或いは半連続気泡を有する有機高分子材料で構成された材料であり、かつ低嵩密度クッション材１３が繊維状高分子材料、短冊状高分子材料、あるいはそれらの複合材料であることを特徴とする。
【００３０】
本構造の材料を用いることによって、軟質クッション材１２が打撃の際に移動することなく、各材料の反発性、衝撃の分散性等の特徴を効率的に持続することが可能になる。
【００３１】
特に、低嵩密度クッション材１３は、綿繊維、麻繊維、椰子殻チップ、ナイロン繊維、テトロン繊維、ポリエステル繊維、テフロン（登録商標）繊維、ポリオレフィン発泡体、ポリウレタン発泡体の繊維状、短冊状、或いはそれらの複合材料を使用することが可能である。
【００３２】
この様な材料は、汗や温度などの使用条件で劣化することが少なく、抗菌抗黴効果も優れており、防具が長持ちする。さらに、従来の部品と比べて、より嵩密度が小さいため軽量化が図れると言う効果がある。
【００３３】
さらに、硬質クッション材１１と軟質クッション材１２は発泡ポリウレタンスポンジ、その他発泡材料が利用できる。なお、当該発泡材料の内、連続気泡或いは半連続気泡で硬いものを硬質クッション材１１とし、柔らかいものを軟質クッション材１２とし、独立気泡タイプの軽いものを低嵩密度クッション材１３とする。
【００３４】
さらに、請求項１乃至７に記載の発明のグローブにおいて、親指を収納する部分のクッション部材を円筒状にするとともに、指先にクッション材で蓋をする構造にしても良い。この構造にすることによって、親指を保護するとともに親指がグローブの中で独立した動きをとることができ、掴み技等が自由に繰り出せるという効果が生じる。
【００３５】
さらに、請求項８に記載の発明はマジックテープ（登録商標）を設置した脱着可能な固定部材の嵌合部２１をグローブの手首の凹部分に嵌め込んで固定することを特徴とする。
【００３６】
この固定方法にすることによって、従来の紐による脱着のものと比べて固定部材がグローブから外れることが少なく、さらに脱着が容易になり脱着時間も短縮するという効果がある。
【００３７】
なお、当該固定用部材は、開口部などを締め付ける部分ためのバンド部材や紐などが装着されている部道具全般において、そのバンド部材や紐などの先端に、それらの補修用部材として脱着可能な状態で取り付けられるものであり、その対象防具が面防具、グローブ、シューズ、胴衣その他、任意の武道用防具に使用できるものである。
【発明の効果】
【００３８】
以上のように本発明は、打撃に直接使用する手の部分に、硬質クッション材と軟質クッション材との多重層構造部材を用いることによって安全性を高め、さらにそれ以外の手の指先部分と手首に近い部分に低嵩密度クッション材を用いることによって軽量性と衛生性を高める効果が発揮される。
【００３９】
さらに、マジックテープ（登録商標）を設置した脱着可能な固定部材の嵌合部をグローブの手首の凹部分に嵌め込んで固定するため、固定部材がグローブから外れることが無く、過酷な使用条件下にあっても継続してグローブを装着することが出来るとともに、グローブの脱着を速やかに行うことができる効果が発揮される。
【発明を実施するための最良の形態】
【００４０】
本発明の実施形態は日本拳法、逮捕術、空手等の徒手格闘技用の武道用防具に関するもので、詳しくは鉄鋼製の金属棒やプラスチック板材料などの硬質材料で構成された頭部保護用面防具を打撃するための武道用グローブとして実施されるものである。
【００４１】
特に、面防具の保護構造部材が金属鋼線で構成されている日本拳法および逮捕術の競技用の防具としての武道用グローブに関して実施される。
【実施例】
【００４２】
以下、具体的に図面に従って本発明からなる武道用防具について説明する。
【００４３】
（実施例１）
本実施例は、日本拳法の競技用硬質グローブである。（図１）に概要を示す。
【００４４】
クッション部材１１としてイノアックコーポレーション製の１０ｍｍ厚の高密度発泡ポリウレタンを使用してグローブ打撃面に配置した。低嵩密度クッション材１３として、指先部と手甲部にイノアックコーポレーション製の３０ｍｍ厚の発泡ポリウレタンを配置した。当該３個の部材は接着剤で接着して一体物としてグローブ打撃面の前面に配置した。当該硬質クッション部材１１の内側には、イノアックコーポレーション製の５〜８ｍｍ幅５ｍｍ厚軟質発泡ポリウレタン製の短冊状の帯をテロトン袋に詰めてから配置した。
【００４５】
さらに、全体として手の甲に対してドーム形状に多重層構造部材を配置して、小指の外側を完全に保護する形状にした。
【００４６】
なお、硬質クッション材１１及び軟質クッション材１２は、半連続あるいは連続気泡型スポンジと呼ばれるもので、通気孔が連続あるいは半連続に材料内部に形成されているもので、低嵩密度クッション材１３に比べて高密度でかつ圧縮時からの復元性に富む材質である。
【００４７】
実際に当該グローブを装着して徳島大学日本拳法部員と同部ＯＢの十数人が日本拳法の防具練習を行った結果、従来のグローブと比べて手の痛み、特に小指部分の痛みや衝撃を感じる度合いが格段に小さいという分析結果を得ることができた。日本拳法修練期間が２ヶ月以下の部員も防具練習に使用したが感じる衝撃が格段に小さくなり安全に練習出来るとの評価があった。
【００４８】
（実施例２）
本実施例は、日本拳法の競技用硬質グローブの他の実施例である。
【００４９】
グローブ内部は、親指の周囲のクッション材の配置以外は、クッション部材１１、低嵩密度クッション材１３等の構造と配置を、実施例１と同様にした。
【００５０】
即ち、親指の周囲にはイノアックコーポレーション製の１０ｍｍ厚の発泡ポリウレタンを配置し、親指の先端にはイノアックコーポレーション製の３０ｍｍ厚の発泡ポリウレタンを配置した。当該円筒状のクッション材と先端部のクッション材は接着剤で接着して一体物としてグローブの親指部分に配置した。
【００５１】
さらに、全体として手の甲に対してドーム形状に多重層構造部材を配置して、小指の外側を完全に保護する形状にした。
【００５２】
なお、硬質クッション材１１及び軟質クッション材１２は、半連続あるいは連続気泡型スポンジと呼ばれるもので、通気孔が連続あるいは半連続に材料内部に形成されているもので、低嵩密度クッション材１３に比べて高密度でかつ圧縮時からの復元性に富む材質である。
【００５３】
実際に当該グローブを装着して徳島大学日本拳法部員と同部ＯＢの十数人が日本拳法の防具練習を行い、特に掴み技の練習を行った結果、従来のグローブと比べて親指が動きやすく、自由に掴み技を繰り出すことができ、さらに、親指部分の痛みや衝撃を感じる度合いが格段に小さいという分析結果を得ることができた。
【００５４】
（実施例４）
本実施例は、日本拳法の練習および競技用軟質グローブである。（図２）に概要を示す。
【００５５】
低嵩密度クッション材２１として、厚み３０ｍｍのイノアックコーポレーション製の発泡ポリウレタンをグローブ打撃面の全面に配置した。当該低嵩密度クッション材２１の拳頭部の裏側に配置する部分に、軟質クッション材２２としてイノアックコーポレーション製の５〜８ｍｍ幅５ｍｍ厚軟質発泡ポリウレタンの短冊状のものをテロトン袋に詰めたものを配置した。
【００５６】
（実施例５）
本実施例は、日本拳法用のグローブに取り付ける交換可能な固定用部材（図３）と、その装着状況（図４）である。
【００５７】
固定用部材は、（図１）又は（図２）に示したグローブの手首部分に取り付けた。具体的には、固定用部材は、その一端であるバンド接続部Ａ３２を介してグローブの手首部分に連結するように構成されている。
【００５８】
バンド接続部Ａ３２の表面とグローブのバンド固定部の表面にはマジックテープ（登録商標）が装着されており、当該バンド接続部Ａ３２をバンド固定部Ａ４１および固定部Ｂ４２に挟み込むことで繋ぐ事ができる。
【００５９】
従来の市販グローブは約５０ｍｍのバンドを使用しているが２５ｍｍ幅に狭くした事で緊縛力を増加した。グローブ手首側端部全周に凸部を設置してバンドがグローブ手首部締め付け位置から外れ難くした。
【００６０】
固定用部材のもう一方の端部である固定用接続部Ａ３４にもマジックテープ（登録商標）が装着されており、固定用部材をグローブの手首に嵌め込むように巻き付けて、グローブに貼り付けて固定することができる。
【００６１】
実際に本実施例の固定用部材を用いてグローブを使用した結果、紐で何重にも固定する従来のグローブの装着方法と比較して、装着と取り外しがはるかにスムーズに短時間にできることが分かった。
【００６２】
さらに、劣化した固定用部材を新品と容易に交換できることが分かった。
【００６３】
さらに、バンド幅を狭くした事により紐と同等以上に固定できることも分かった。
【産業上の利用可能性】
【００６４】
本発明は、武道用防具の内、安全なグローブを提供するために成されたものであるが、グローブに限定されず、面防具の内張クッション部材、シューズ、胴防具、関節保護防具、その他のクッション部材を有する武道用防具全体に応用することが可能である。
【００６５】
さらに、本発明の多重層構造部材は、武道用防具に限ることなく、人体を保護するための構造部材の一般的な部材として幅広く応用が可能である。
【図面の簡単な説明】
【００６６】
【図１】一実施例としてのグローブ
【図２】一実施例としてのグローブ
【図３】一実施例としてのグローブ脱着バンド
【図４】一実施例としてのグローブ装着バンドの設置状態
【図１】
2007068973.tif 000003
【図２】
2007068973.tif 000004
【図３】
2007068973.tif 000005
【図４】
2007068973.tif 000006